(57)【要約】【課題】ドラグ機構において、摩擦部への液体の浸入防止を簡素なシール構造で行えるようにする。【解決手段】ドラグ機構６０は、つまみ部６１と摩擦部６２とシール部材６３とを備えている。つまみ部は、鍔部６５ａを有しスプール軸に回転不能かつ軸方向移動自在に設けられた第１部材６５と、第１部材に対向して第１部材と相対回動自在に設けられスプール軸に螺合するとともに、鍔部を覆うように第１部材に向けて筒状に突出する第２部材６６とを有し、ドラグ力を手で調整するためものである。摩擦部は、つまみ部とスプールとの間に配置されつまみ部によりスプール側に押圧される。シール部材は、摩擦部の前方においてスプールと第１部材との間に配置され、スプールと第１部材との隙間及び第１部材と第２部材との隙間を同時にシールする。【選択図】　　　図４
2004135542.tif 000002
【特許請求の範囲】
【請求項１】
スピニングリールのスプールとスプール軸との間に装着され前記スプールにドラグ力を作用させるためのスピニングリールのドラグ機構であって、
鍔部を有し前記スプール軸に回転不能かつ軸方向移動自在に設けられた第１部材、前記第１部材に対向して前記第１部材と相対回動自在に設けられ前記スプール軸に螺合するとともに、前記鍔部を覆うように前記第１部材に向けて筒状に突出する第２部材、第１部材と第２部材とを軸方向移動不能かつ回転自在に連結する連結部材、及び第１部材と第２部材との間に配置され両部材の相対回動により発音する発音機構を有し、前記ドラグ力を手で調整するためのつまみ部と、
前記つまみ部と前記スプールとの間に配置され、前記つまみ部によりスプール側に押圧される摩擦部と、
前記摩擦部の前方において前記スプールと前記第１部材との間に配置され、前記スプールと前記第１部材との隙間及び前記第１部材と第２部材との隙間を同時にシールするシール部材と、
を備えたスピニングリールのドラグ機構。
【請求項２】
前記第１部材は外周面に環状溝を有し、
前記シール部材は、前記環状溝に装着される弾性を有する合成樹脂製である、請求項１に記載のスピニングリールのドラグ機構。
【請求項３】
前記シール部材は、前記第１部材に装着される環状の装着部と、前記装着部から前記スプールの内周面に向かって延びる第１シール部と、前記装着部から前記第２部材の突出部分に向かって延びる第２シール部とを有する、請求項１又は２に記載のスピニングリールのドラグ機構。
【請求項４】
前記第１シール部は、先細り断面のリップ部を有する、請求項３に記載のスピニングリールのドラグ機構。
【請求項５】
前記摩擦部は、前記スプール軸に回転不能に装着された第１摩擦板と、前記スプールに回転不能に装着され前記第１摩擦板に対向して配置された第２摩擦板とを有する、請求項１から４のいずれかに記載のスピニングリールのドラグ機構。
【請求項６】
前記第２部材は、
前面に操作部を有し、後端に前記鍔部を覆うように前記第１部材に向けて筒状に突出し後端面が前記シール部材に接触するカバー部を有し、前記スプール軸に回転自在に装着されたつまみ部本体と、
前記つまみ本体に回転不能かつ軸方向移動自在に装着され、前記スプール軸に螺合するナット部と、
前記ナット部と前記第１部材との間に配置されたばね部材とを有する、請求項１から５のいずれかに記載のスピニングリールのドラグ機構。
【請求項７】
前記カバー部の内周面には係止部が形成され、
前記連結部材は、前記係止部に係止され前記鍔部を抜け止めする弾性を有する線材を折り曲げて形成された部材である、請求項６に記載のスピニングリールのスプール。
【請求項８】
前記係止部は、前記前面から前記カバー部の内周面を通って前記後端面の手前側まで周方向に間隔を隔てかつ前記スプール軸方向に沿って形成された複数の係止溝であり、
前記連結部材は、前記複数の係止溝に係止される複数の係合部と、前記係合部と一体形成され前記鍔部に前記後端側から接触する接触部とを有し、前記鍔部を抜け止めするために前記カバー部の後端側から装着可能な部材である、請求項７に記載のスピニングリールのドラグ機構。
【発明の詳細な説明】
【０００１】
【発明の属する技術分野】
本発明は、ドラグ機構、特に、スピニングリールのスプールとスプール軸との間に装着されスプールにドラグ力を作用させるためのスピニングリールのドラグ機構に関する。
【０００２】
【従来の技術】
一般に、スピニングリールのフロントドラグ式のスプールには、スプールにドラグ力を作用させるためのドラグ機構が装着されている。ドラグ機構を装着することで、仕掛けに魚がかかったときに負荷が急激に上昇しても釣り糸が切れにくくなる。ドラグ機構は、スプール軸とスプール軸に回転自在に支持されたスプールとの間に設けられ、スプール軸に螺合しドラグ力を調整するためのつまみ部と、つまみ部とスプールとの間でスプール軸に回転不能に設けられた摩擦部とを備えている。つまみ部は、摩擦部に接触可能に配置されており、摩擦部は、通常、スプールの前部に形成された円形凹部に装着されている。
【０００３】
この種のドラグ機構では、つまみ部を回して摩擦部をスプールに向けて押圧することでスプールにドラグ力を作用させる。この押圧力を調整することでドラグ力を調整できる。このつまみ部に、回転時にクリック音を発音する発音機構を設けたものが知られている。発音機構を設けることにより、ドラグ操作時の操作フィーリングを向上させることができる。このつまみ部は、スプール軸に回転不能に装着された第１部材と、前記第１部材と軸方向に並設されかつ第１部材と相対回動自在に設けられスプール軸に螺合する第２部材と、第１部材と第２部材との間に配置され両部材の相対回動により発音する発音機構とを有している。このつまみ部の第２部材を回すと第２部材がスプール軸に対して進退し、かつ第１部材と相対回動して発音機構が発音する。
【０００４】
一般に、摩擦部を有するドラグ機構では、摩擦部が水濡れすると、摩擦力が変動しつまみ部を同じ位置にしてもドラグ力が変化する。そこで、摩擦部の前方でつまみ部とスプールの円形凹部との間にシール部材を装着し、つまみ部の外周側から水が摩擦板に浸入しないようにしたものが従来知られている（たとえば、特許文献１参照）。
【０００５】
前記従来の発音機構を有するドラグ機構では、つまみ部が並設された２つの部材と発音機構とで構成されるため、つまみ部の２つの部材間に隙間が生じる。したがって、つまみ部とスプールとの間にシール部材を装着しても、２つの部材間の隙間が残る。この隙間からつまみ部の内部に水が浸入すると、浸入した水がつまみ部の中心部を貫通するスプール軸に沿って摩擦部側に浸入するおそれがある。そこで、つまみ部の２つの部材の隙間も２つのシール部材でシールしている。
【０００６】
【特許文献１】
特開平１１−１９６７２９号参照（４頁右欄、第２図参照）
【０００７】
【発明が解決しようとする課題】
発音機構を有する前記従来の構成では、ドラグ機構の摩擦部の前方でつまみ部とスプールとの隙間をシールするシール部材と、つまみ部の並設された２つの部材の隙間をシールする２つのシール部材との合計３つのシール部材で摩擦部への水の浸入を防止している。このため、摩擦部を防水するためのシール構造が複雑なものになる。
【０００８】
本発明の課題は、スピニングリールのドラグ機構において、摩擦部への液体の浸入防止を簡素なシール構造で行えるようにすることにある。
【０００９】
【課題を解決するための手段】
発明１に係るスピニングリールのドラグ機構は、スピニングリールのスプールとスプール軸との間に装着されスプールにドラグ力を作用させるための機構であって、つまみ部と、摩擦部と、シール部材とを備えている。つまみ部は、鍔部を有しスプール軸に回転不能かつ軸方向移動自在に設けられた第１部材と、第１部材に対向して第１部材と相対回動自在に設けられスプール軸に螺合するとともに、鍔部を覆うように第１部材に向けて筒状に突出する第２部材と、第１部材と第２部材とを軸方向移動不能かつ回転自在に連結する連結部材と、第１部材と第２部材との間に配置され両部材の相対回動により発音する発音機構とを有し、ドラグ力を手で調整するためものである。摩擦部は、つまみ部とスプールとの間に配置されつまみ部によりスプール側に押圧されるものである。シール部材は、摩擦部の前方においてスプールと第１部材との間に配置され、スプールと第１部材との隙間及び第１部材と第２部材との隙間を同時にシールする部材である。
【００１０】
このドラグ機構では、スプール軸に螺合したつまみ部の第２部材を回すとスプール軸に対してつまみ部の少なくとも一部が進退し、第１摩擦板をスプール側に押圧する力が変動しドラグ力を調整できる。このとき、第１部材と第２部材とが相対回動し、発音機構が発音する。また、つまみ部がたとえば水濡れしても、シール部材によりつまみ部の外周側とスプールとの間の隙間及び第１部材と第２部材との間の隙間から内部への液体の浸入がそれぞれ防止されるので、つまみ部から摩擦部への液体の浸入を抑えることができる。ここでは、つまみ部の第２部材が第１部材の鍔部を覆うように第１部材に向けて突出しているので、たとえば、スプールと第１部材との間に配置されたシール部材をその突出部分にも接触させることにより、スプールと第１部材との隙間及び第１部材と第２部材との隙間を同時にシールすることができる。このため、摩擦部への液体の浸入防止を簡素なシール構造で行えるようになる。
【００１１】
発明２に係るスピニングリールのドラグ機構は、発明１に記載の機構において、第１部材は外周面に環状溝を有し、シール部材は、環状溝に装着される弾性を有する合成樹脂製である。この場合には、シール部材がバックアップのための金属製等の硬質の部材を有していないので、一般的なＯリングのようにシール部材を拡径して第１部材の外周面を滑らせて環状溝に容易に装着できる。このため、このため、シール部材を固定するためのたとえばスナップリングなどの固定部材やそれを装着するための空間が不要になるとともに、軸方向のスペースもコンパクトになる。
【００１２】
発明３に係るスピニングリールのドラグ機構は、発明１又は２に記載の機構において、シール部材は、第１部材に装着される環状の装着部と、装着部から前記スプールの内周面に向かって延びる第１シール部と、前記装着部から前記第２部材の突出部分に向かって延びる第２シール部とを有する。この場合には、環状の装着部からスプールの内周面に向かって延びる第１シール部により、スプールと第１部材との間の隙間がシールされ、環状装着部から第２部材の鍔部を覆う突出部分に向かって延びる第２シール部により第１部材と第２部材との隙間がシールされる。
【００１３】
発明４に係るスピニングリールのドラグ機構は、発明３に記載の機構において、第１シール部は、先細り断面のリップ部を有する。この場合には、スプールとの接触部分に先細り断面のリップ部が形成されているので、スプールとの接触面積が小さくなり、スプール軸に対して回転不能な第１部材とスプール軸に対して回転するスプールとが相対回転する際の回転抵抗の増加を抑えることができる。
【００１４】
発明５に係るスピニングリールのドラグ機構は、発明１から４のいずれかに記載の機構において、摩擦部は、スプール軸に回転不能に装着された第１摩擦板と、スプールに回転不能に装着され第１摩擦板に対向して配置された第２摩擦板とを有する。この場合には、複数枚の摩擦板によりドラグ力を発生するので、ドラグ力を細かく調整できる。
【００１５】
発明６に係るスピニングリールのドラグ機構は、発明１から５のいずれかに記載の機構において、第２部材は、前面に操作部を有し、後端に鍔部を覆うように第１部材に向けて筒状に突出し後端面がシール部材に接触するカバー部を有し、スプール軸に回転自在に装着されたつまみ部本体と、つまみ本体に回転不能かつ軸方向移動自在に装着され、スプール軸に螺合するナット部と、ナット部と第１部材との間に配置されたばね部材とを有する。この場合には、つまみ本体の操作部を回すとナット部がつまみ本体とともに回転し、ばね部材が伸縮して第１部材が摩擦部を押圧する力が変化してドラグ力が変化する。このとき、カバー部の後端面がシール部材に接触しているので、カバー部と鍔部との隙間から液体が浸入しにくくなる。
【００１６】
発明７に係るスピニングリールのドラグ機構は、発明６に記載の機構において、カバー部の内周面には係止部が形成され、連結部材は、係止部に係止され鍔部を抜け止めする弾性を有する線材を折り曲げて形成された部材である。
発明８に係るスピニングリールのドラグ機構は、発明７に記載の機構において、係止部は、前面からカバー部の内周面を通って後端面の手前側まで周方向に間隔を隔てかつスプール軸方向に沿って形成された複数の係止溝であり、連結部材は、複数の係止溝に係止される複数の係合部と、係合部と一体形成され鍔部に後端側から接触する接触部とを有し、鍔部を抜け止めするためにカバー部の後端側から装着可能な部材である。この場合には、第２部材の後端側から第１部材の鍔部をカバー部内に収納し、この状態で後端側から連結部材をカバー部内を通るように圧縮しながらカバー部内に収納し、カバー部の内周面に形成された係止溝に連結部材の係合部を位置決めして圧縮状態を解除する。すると、係止溝は、カバー部の後端面より手前側までしか形成されていないので、後端面とのあいだで段差が生じ、その段差に係合部が係止されて連結部材は第２部材の後端側に移動できなくなる。また、この状態で第１部材の鍔部に接触部が接触して第１部材も後端側に移動できなくなる。このため、第１部品が抜け止めされる。この係止溝は、前面側から後端端面に向けて形成されているので、型成形時に型により形成することができる。ここでは、連結部材を係止するための構造を型成形により形成できるので、連結部材の係止構造を機械加工することなく実現でき、加工コストを低減することができる。
【００１７】
【発明の実施の形態】
〔全体構成及びリール本体の構成〕
図１及び図２において、本発明の一実施形態を採用したスピニングリールは、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１８】
リール本体２は、開口を有するリールボディ２ａと、開口を塞ぐようにリールボディ２ａに着脱自在に装着された蓋部材２ｂと、蓋部材２ｂから斜め上前方に延びる竿取付脚２ｃとを有している。リールボディ２ａは、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１９】
ロータ駆動機構５は、ハンドル１が固定されたメインギア軸１０とともに回転するメインギア１１と、このメインギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ，１４ｂを介してリール本体２に回転自在に支持されている。
【００２０】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、図示しない減速機構を介してピニオンギア１２に噛み合っている。このため、オシレーティング機構６の前後移動速度が遅くなり、釣り糸をスプール４に緻密に巻き付ける密巻を実現できる。
【００２１】
〔ロータの構成〕
ロータ３は、図２に示すように、円筒部３０と、円筒部３０の側方に互いに対向して設けられた第１及び第２ロータアーム３１，３２とを有している。円筒部３０と両ロータアーム３１，３２とは、たとえばアルミニウム合金製であり一体成形されている。
【００２２】
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にナット１３が配置されている。
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００２３】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２カ所で接続されている。第２ロータアーム３２の先端外周側には、第２ベール支持部材４２が揺動自在に装着されている。
【００２４】
ラインローラ４１と第２ベール支持部材４２との間には線材を略Ｕ状に湾曲させた形状のベール４３が固定されている。これらの第１及び第２ベール支持部材４０，４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２５】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２６】
〔スプールの構成〕
スプール４は、図２に示すように、ロータ３の第１ロータアーム３１と第２ロータアーム３２との間に配置されており、スプール軸１５の先端にドラグ機構６０を介して装着されている。スプール４は、図３に示すように、外周に釣り糸が巻かれる、たとえばアルミニウム合金製の糸巻き胴部４ａと、糸巻き胴部４ａの後部に一体で形成されたスカート部４ｂと、糸巻き胴部４ａの前端に固定された、たとえばアルミニウム合金製の前フランジ部４ｃとを有している。糸巻き胴部４ａは、円筒状の部材であり、外周面はスプール軸１５と平行な周面で構成されている。糸巻き胴部４ａは、釣り糸が巻き付けられる筒状部４ｄと、筒状部４ｄの内周面に設けられた支持部４ｅとを有し、支持部４ｅが回転自在かつ後方への移動を規制された状態でスプール軸１５に装着されている。前フランジ部４ｃは、ワッシャ状のアルミニウム合金製のシート部材の外周縁を、たとえばカーリング加工により前方に折り曲げ加工して形成されたものである。前フランジ部４ｃは、たとえば４本のねじ９０により糸巻き胴部４ａの前面にネジ止め固定されるとともに、糸巻き胴部４ａの前面にたとえば４本のねじ９１にネジ止めされたスプールリングカラー５５により糸巻き胴部４ａに固定されている。
【００２７】
スプールリングカラー５５は、前フランジ部４ｃの折り曲げ部分に外周部が接触する先細りのテーパ部５５ａと、糸巻き胴部４ａの筒状部４ｄの前側内周面に密着する内筒部５５ｂと、テーパ部５５ａと内筒部５５ｂとを連結する連結部５５ｃとを有している。この連結部５５ｃに２種のねじ９０，９１が等間隔に交互に配置されている。
【００２８】
〔ドラグ機構の構成〕
ドラグ機構６０は、図３及び図４に示すように、スプール４の糸繰り出し方向への回転を制動してスプール４にドラグ力を作用させるための機構である。ドラグ機構６０は、ドラグ力を手で調整するためのつまみ部６１と、つまみ部６１によりにスプール４側に押圧されるたとえば４枚のドラグディスク６２ａ〜６２ｄを有する摩擦部６２と、摩擦部６２への液体の浸入を防止するためのシール部材６３と、ドラグ作動時に発音する第１発音機構６４とを備えている。
【００２９】
つまみ部６１は、図５〜図７に示すように、第１部材６５と、第１部材６５に対向して配置された第２部材６６と、両部材６５，６６を相対回転自在かつ軸方向移動不能に連結する連結部材６７と、両部材６５，６６の相対回転により発音する第２発音機構６８とを有している。
第１部材６５は、リング状の鍔部６５ａと、鍔部６５ａより小径の円筒部６５ｂとを有し、スプール軸１５に回転不能かつ軸方向移動自在に設けられている。鍔部６５ａの前端面には周方向に多数の半球状の音出し穴６５ｃが並べて形成されている。円筒部６５ｂの内周部には、スプール軸１５に回転不能に係止する小判形状の係止孔６５ｄが形成されている。円筒部６５ｂの外周面には、シール部材６３を装着するための環状溝６５ｅが形成されている。この円筒部６５ｂの後端面が摩擦部６２のドラグディスク６２ａに当接する。
【００３０】
第２部材６６は、第１部材に対向して第１部材６５と相対回動自在に設けられスプール軸１５に螺合するとともに、鍔部６５ａを覆うように第１部材６５に向けて筒状に突出する部材である。第２部材６６は、つまみ本体７０と、つまみ本体７０に回転不能かつ軸方向移動自在に装着され、スプール軸１５に螺合するナット部７２と、ナット部７２と第１部材６５との間に配置されたばね部材７３とを有している。
【００３１】
つまみ本体７０は、合成樹脂製のたとえばインジェクション成形された鍔付き円筒状の部材である。つまみ本体７０は、前面に形成された操作部７０ａと、後端面側に開口する円形の凹部が形成されたカバー部７０ｂと、操作部７０ａ側からカバー部７０ｂの内周面を通って後端面の手前側まで周方向に間隔を隔てかつスプール軸１５方向に沿って形成されたたとえば４つの係止溝７０ｃとを有している。
【００３２】
操作部７０ａは、略台形状に直径に沿って形成されて突起である。カバー部７０ｂは、鍔部６５ａを覆うように第１部材６５に向けて筒状に突出し後端面がシール部材６３に接触している。係止溝７０ｃは、操作部７０ａから形成された丸穴によりカバー部７０ｂの内周面に半円状に形成されかつカバー部７０ｂの内周面の後端部より手前側まで形成されている。この係止溝７０ｃの形成端７０ｆに連結部材６７が係止される。係止溝７０ｃを形成するための丸穴はつまみ本体７０の前面に貼られたシール７０ｄにより隠されている。このように、シール７０ｄを貼って丸孔を塞ぐことにより、型成形するために丸孔により係止溝７０ｃ形成しても、水などの異物がつまみ本体７０の内部に入りにくくなる。
【００３３】
つまみ本体７０の中心部には、四角形のナット部７２が回転不能かつ軸方向移動自在に装着されるナット装着部７０ｅが形成されている。つまみ本体７０の後面には、第２発音機構６８を収納するための装着穴７０ｇが形成されている。ナット部７２は、スプール軸１５の先端に形成された雄ねじ部１５ａに螺合している。ばね部材７３は、ナット部７２と第１部材６５との間に圧縮状態に装着されている。
【００３４】
連結部材６７は、弾性を有する金属線材を折り曲げて形成された部材である。連結部材６７は、装着時に圧縮して四角形になるように形成され、非装着時に僅かに拡がるように形成されている。この四角形の角部６７ａが鍔部６５ａより径方向外方に突出して係止溝７０ｃの形成端７０ｆに係止され、角部６７ａを連結する接触部６７ｂが第１部材６５の鍔部６５ａの後面側に接触する。これにより第１部材６５がカバー部７０ｂに抜け止めされた状態で収納される。
【００３５】
第２発音機構６８は、図７に示すように、第１部材６５の鍔部６５ａに形成された音出し穴６５ｃと、装着穴７０ｇに装着された音出しピン７７と、音出しピン７７を音出し穴６５ｃに向けて付勢するコイルバネ７８とを有している。音出し穴６５ｃは、装着穴７０ｇと対向可能な位置に周方向に間隔を隔てて多数形成されている。音出しピン７７は、中央部分が大径で先端及び後端が小径でさらに先端が半球状に丸められたピンであり、ドラグ操作時につまみ本体７０と第１部材６５とが相対回転すると、音出し穴６５ｃとの衝突を繰り返して発音する。
【００３６】
摩擦部６２のドラグディスク６２ａは、図４に示すように、第１部材６５に接触し、かつスプール軸１５に対して回転不能な金属製の円板部材である。ドラグディスク６２ｂは、スプール４及びスプール軸１５に対して回転自在なたとえばフェルト製の円板部材である。ドラグディスク６２ｃは、スプール４に対して回転不能な金属製の円板部材である。ドラグディスク６２ｄは、スプール４及びスプール軸１５に対して回転自在なたとえばフェルト製の円板部材である。ドラグディスク６２ａの中心部には、スプール軸１５の先端に互いに平行に形成された面取り部１５ｂに係合する長溝形状の係止孔６２ｅが形成されている。ドラグディスク６２ｃの外周面には、径方向外方に突出する一対の耳部６２ｆが形成されているこの耳部６２ｆは、糸巻き胴部４ａの筒状部４ｄの内周面に軸方向に沿って形成された係止溝４ｆに係止されている。これにより、ドラグディスク６２ｃは、スプール４に対して回転不能になっている。
【００３７】
ドラグディスク６２ａの前面には、抜け止めばね７５が接触している。抜け止めばね７５は、連結部材６７と異なる５角形状であり、それぞれの角部７５ａがドラグディスク６２ａより径方向外方に突出して糸巻き胴部４ａの筒状部４ｄの内周面に形成された環状の係止溝４ｇに係止され、接触部７５ｂがドラグディスク６２ａに接触してドラグディスク６２ａ〜６２ｄが抜け止めされている。これにより、つまみ部６１をスプール軸１５から外してもドラグディスク６２ａ〜６２ｄが脱落しない。
【００３８】
シール部材６３は、第１部材６５に環状溝６５ｅに装着される装着部６３ａと、装着部６３ａからスプールリングカラー５５の内周面に向かって延びる第１シール部６３ｂと、装着部６３ａから第２部材６６の突出部分（カバー部７０ｂ後端面）に向かって延びる第２シール部６３ｃとを有している。装着部６３ａは、矩形断面の環状溝６５ｅに係止される内径を有するリング状の部分である。第１シール部６３ｂは、スプール４と第１部材６５との隙間をシールするものであり、先端にスプール４のスプールリングカラー５５の内筒部５５ｂの内周面に接触する先細り断面のリップ部６３ｄを有している。このように、スプール４との接触部分に先細り断面のリップ部６３ｄが形成されているので、スプールリングカラー５５との接触面積が小さくなり、スプール軸１５に対して回転不能な第１部材６５とスプール軸１５に対して回転するスプール４とが相対回転する際の回転抵抗の増加を抑えることができる。第２シール部６３ｃは、つまみ部６１の第１部材６５と第２部材との隙間をシールするものであり、カバー部７０ｂの後端面に接触する矩形断面を有している。
【００３９】
ここでは、つまみ部６１の第２部材６６が第１部材６５の鍔部６５ａを覆うように第１部材６５に向けて突出しているので、スプール４と第１部材６５との間に配置されたシール部材６３をその突出部分にも接触させることにより、スプール４と第１部材６５との隙間及び第１部材６５と第２部材６６との隙間を同時にシールすることができる。このため、摩擦部６２への液体の浸入防止を簡素なシール構造で行えるようになる。
【００４０】
第１発音機構６４は、ドラグの作動によりスプール軸１５とスプール４とが相対回転すると発音する機構である。第１発音機構６４は、図３に示すようにスプール軸１５に回転不能に装着された音出し部材８１と、スプール４の支持部４ｅの背面に揺動自在に装着され音出し部材８１と衝突を繰り返す爪部材８２と、爪部材８２を音出し部材８１に向けて付勢するバネ部材（図示せず）とを有している。
【００４１】
〔リールの操作及び動作〕
釣りを行う前に魚の大きさや種類に合わせてドラグ力を調整する。ドラグ力を調整するには、つまみ本体７０を回す。つまみ本体７０をたとえば時計回りに回すとスプール軸１５に螺合するナット部７２によりばね部材７３を介して第１部材６５が摩擦部６２側に押圧される。これによりドラグ力が大きくなる。このとき、第１部材６５と第２部材６６との相対回転により音出しピン７７が音出し穴６５ｃへの衝突を所定間隔で繰り返し歯切れがよい軽快なクリック音を発生する。
【００４２】
キャスティング時にはベールアーム４４を糸開放姿勢に反転させる。これにより第１ベール支持部材４０及び第２ベール支持部材４２は、揺動する。この状態で釣り竿を握る手の人差し指で釣り糸を引っかけながら釣り竿をキャスティングする。すると釣り糸は仕掛けの重さにより勢いよく放出される。この状態でハンドル１を糸巻取方向に回転させると、ロータ駆動機構５によりロータ３が糸巻取方向に回転し、ベールアーム４４がベール反転機構（図示せず）により糸巻取位置に復帰し釣り糸がスプール４に巻き付けられる。
【００４３】
釣りを行っているときに、波などがリールにかかってリールが濡れることがある。この場合にも、シール部材６３がドラグ機構６０に装着されているので、スプール４と第１部材６５との隙間及び第１部材６５と第２部材６６との隙間がシールされる。このため、それらの隙間から摩擦部６２に水が浸入しにくい。このため、一度ドラグ力を調整すれば、水濡れによりドラグ力が変動することが少ない。
【００４４】
〔他の実施形態〕
（ａ）前記実施形態では、弾性体製のシール部材により２つの隙間をシールしたが、弾性体の内部にバックアップ用の硬質のリング状や筒状の補強部材を介装させてもよい。この場合は、シール部材を環状溝などに装着できないので、別に止め輪などの固定部材が別に必要になる。
【００４５】
（ｂ）前記実施形態では、シール部材を第１部材に装着したが、シール部材をスプール側に装着してもよい。この場合、つまみ部６１を緩めてドラグ機構６０が非作動状態になると、つまみ部６１がスプール軸方向前方に移動するため第２部材６６の後端面からシール部材６３の第２シール部６３ｃが離反する。しかし、通常のドラグ作動状態では、第２シール部６３ｃは第２部材６６の後端面に接触して両部材６５，６６の隙間をシールできる。
【００４６】
【発明の効果】
本発明によれば、つまみ部の第２部材が第１部材の鍔部を覆うように第１部材に向けて突出しているので、たとえば、スプールと第１部材との間に配置されたシール部材をその突出部分にも接触させることにより、スプールと第１部材との隙間及び第１部材と第２部材との隙間を同時にシールすることができる。このため、摩擦部への液体の浸入防止を簡素なシール構造で行えるようになる。
【図面の簡単な説明】
【図１】本発明の一実施形態を採用したスピニングリールの側面図。
【図２】その側面断面図。
【図３】そのスプール部分の断面拡大図。
【図４】ドラグ機構の分解斜視図。
【図５】ドラグつまみの分解斜視図。
【図６】ドラグつまみの正面図。
【図７】図６のＶＩＩ−ＶＩＩ断面図。
【符号の説明】
４　スプール
１５　スプール軸
６０　ドラグ機構
６１　つまみ部
６２　摩擦部
６２ａ，６２ｃ　摩擦ディスク
６３　シール部材
６３ａ　装着部
６３ｂ　第１シール部
６３ｃ　第２シール部
６３ｄ　リップ部
６５　第１部材
６５ａ　鍔部
６５ｅ　環状溝
６６　第２部材
６７　連結部材
６７ａ　角部
６７ｂ　接触部
６８　第２発音機構
７０　つまみ本体
７０ａ　操作部
７０ｂ　カバー部
７０ｃ　係止溝
７２　ナット部
７３　ばね部材
【図１】
2004135542.tif 000003
【図２】
2004135542.tif 000004
【図３】
2004135542.tif 000005
【図４】
2004135542.tif 000006
【図５】
2004135542.tif 000007
【図６】
2004135542.tif 000008
【図７】
2004135542.tif 000009